(57)【要約】本発明は、マルチタッチを支援する携帯端末機に人が直接入力しにくいパターンのタッチ入力を行うことができるタッチスタンプを利用して認証を行う方法に関するものである。本発明は平らで、一つ以上の通孔が貫通、形成される一端面を有する本体と、上記本体の内部に収納され、事前に設定された時間パターン及び位置パターンのうち少なくとも一つを有するタッチパターンによって上記通孔を通じて上記一端面から上記本体の外部に選択的に突出する一つ以上のタッチ突起を含んで構成される。このような本発明によると携帯端末機のタッチスクリーンに対して精密なパターンのタッチ入力が可能であるという利点がある。【選択図】図１
2015507270.tif 000002
【特許請求の範囲】
【請求項１】
平らで、一つ以上の通孔が貫通、形成される一端面を有する本体と、前記本体の内部に収納され、事前に設定された時間パターン及び位置パターンのうち少なくとも一つを有するタッチパターンによって前記通孔を通じて前記一端面から前記本体の外部に選択的に突出する一つ以上のタッチ突起を含んで構成されるタッチスタンプ。
【請求項２】
前記タッチスタンプは、前記一つ以上のタッチ突起を選択的に前記本体の外部に突出するように制御する駆動手段をさらに含む第１項に記載のタッチスタンプ。
【請求項３】
前記タッチスタンプは一つのタッチ突起を含み、前記駆動手段は前記一つのタッチ突起を事前に定められた時間パターンによって選択的に突出するように制御する第２項に記載のタッチスタンプ。
【請求項４】
前記タッチスタンプはそれぞれ互いに異なる位置に配列される２つ以上のタッチ突起を含み、前記駆動手段は前記２つ以上のタッチ突起を同時に選択的に突出するように制御する第２項に記載のタッチスタンプ。
【請求項５】
前記タッチスタンプはそれぞれ互いに異なる位置に配列される２つ以上のタッチ突起を含み、前記駆動手段は前記２つ以上のタッチ突起をそれぞれ互いに異なる時間パターンによって選択的に突出するように制御する第２項に記載のタッチスタンプ。
【請求項６】
平らで、一つ以上の通孔が貫通、形成される一端面を有する本体と、事前に設定された時間パターン及び位置パターンのうち少なくとも一つを有するタッチパターンによって前記一端面から前記通孔を通じて前記本体の外部に露出して、電気伝導性を有する一つ以上のタッチ端子、また前記本体の内部に収納されて、その一端が前記一つ以上のタッチ端子に接続されて、電荷移動経路を形成する接続部を含んで構成されるタッチスタンプ。
【請求項７】
前記タッチスタンプは、前記接続部の他端に接続され、前記本体の外部に露出して人の身体と接触すると人の身体とともに電荷移動経路を形成する接触部をさらに含んで構成される第６項に記載のタッチスタンプ。
【請求項８】
前記タッチスタンプは一つのタッチ端子を含み、前記接続部が形成する電荷移動経路を事前に定められた時間パターンによって選択的に開放または短絡するスイッチング部をさらに含んで構成される第６項または第７項に記載のタッチスタンプ。
【請求項９】
前記タッチスタンプはそれぞれ互いに異なる位置に配列される２つ以上のタッチ端子を含み、前記接続部は前記２つ以上のタッチ端子それぞれに対して互いに異なる電荷移動経路を形成し、前記接続部が形成する２つ以上の電荷移動経路をそれぞれ互いに異なる時間パターンによって選択的に開放または短絡するスイッチング部をさらに含んで構成される第６項または第７項に記載のタッチスタンプ。
【発明の詳細な説明】
【技術分野】
【０００１】
本発明は、携帯端末機のためのタッチスタンプ及びこれを利用した認証システム並びに方法に関するものであって、より詳細にはマルチタッチを支援する携帯端末機に人が直接入力しにくいパターンのタッチ入力を行うことができるタッチスタンプを利用して認証を行う方法に関するものである。
【背景技術】
【０００２】
最近、スマートフォンやタブレットＰＣのような多様な携帯端末機が広く使用されている。このような携帯端末機は、携帯性を高めるために小型化、軽量化及び単純化されたデザインを有する場合が大部分である。このように小型化、軽量化及び単純化されたデザインの携帯端末機では端末機前面にあらわれるハードウェア構成を最小化し、ディスプレーは最大化するためにディスプレーの前面にタッチパネルを入力手段として採用して、タッチスクリーンを構成する場合が多い。このようなタッチスクリーンを有する携帯端末機では使用者の入力のためのボタンなどのハードウェア的な入力手段が最小化されるため、最近はこのようにタッチスクリーンを採用した携帯端末機が一般化された。
【０００３】
一方、このようなタッチスクリーン方式の携帯端末機において、小さなサイズのディスプレーを利用して画像出力及び使用者入力を最適化するためにマルチタッチの認識が可能なタッチパネルを採用するのが最近の傾向であるが、ここでマルチタッチ技術とは同時にいくつかのタッチポイントを認識する技術であり、一般的な一つのタッチポイントだけ認識することより、多様な操作ができるようにする。
【０００４】
しかし、このようなタッチスクリーンが採用された携帯端末機のマルチタッチ技術を利用した応用技術が十分活用されていないのが実情である。特に、マルチタッチ技術は、一般に画面の拡大または縮小のための技術としてのみ限定して使用されている。このようにマルチタッチ技術が広く活用されていない理由は、人の手を用いて入力することができるタッチパターンの精密性に制限があるだけなく、手で入力されるパターンは毎回同一であることが難しく、任意的なためである。
【発明の概要】
【発明が解決しようとする課題】
【０００５】
したがって、本発明は、上記のような問題点を解決するために案出されたものであって、本発明の目的は、携帯端末機のタッチスクリーンのマルチタッチ技術の活用性を拡大することができるタッチ入力手段として、タッチスタンプを提供することである。
【０００６】
本発明の他の目的は、携帯端末機のタッチスクリーンに対して事前に定められたところに従って精密なパターンのタッチ入力を行うことができるタッチスタンプを提供することである。
【０００７】
本発明の他の目的は、持続的に同一パターンのタッチ入力を行うことができるタッチスタンプを提供することである。
【０００８】
本発明のさらに他の目的は、複雑なパターンによるタッチ入力を可能にすることによって携帯端末機で多様な応用機能を活用できるようにするタッチスタンプを提供することである。
【０００９】
本発明のさらに他の目的は、人の手で行うことが難しい精密なタッチパターンのタッチ入力を行うことによって、これを携帯端末機で行われる各種認証手続に活用できるようにするタッチスタンプを提供することである。
【課題を解決するための手段】
【００１０】
本発明の一実施例によると、本発明は平らで、一つ以上の通孔が貫通形成される一端面を有する本体と、上記本体の内部に収納され、事前に設定された時間パターン及び位置パターンのうち、少なくとも一つを有するタッチパターンによって上記通孔を通じて上記一端面から上記本体の外部に選択的に突出する一つ以上のタッチ突起を含んで構成される。
【００１１】
また、上記タッチスタンプは、上記一つ以上のタッチ突起を選択的に上記本体の外部に突出するように制御する駆動手段をさらに含むこともできる。
【００１２】
また、上記タッチスタンプは、一つのタッチ突起を含み、上記駆動手段は、上記一つのタッチ突起を事前に定められた時間パターンによって選択的に突出するように制御することもできる。
【００１３】
さらに、上記タッチスタンプは、それぞれ互いに異なる位置に配列される２つ以上のタッチ突起を含み、上記駆動手段は、上記２つ以上のタッチ突起を同時に選択的に突出するように制御することもできる。
【００１４】
この際、上記タッチスタンプは、それぞれ互いに異なる位置に配列される２つ以上のタッチ突起を含み、上記駆動手段は、上記２つ以上のタッチ突起をそれぞれ互いに異なる時間パターンによって選択的に突出するように制御することもできる。
【００１５】
一方、本発明の他の実施例によると、本発明は、平らで、一つ以上の通孔が貫通形成される一端面を有する本体と、事前に設定された時間パターン及び位置パターンのうち少なくとも一つを有するタッチパターンによって上記一端面から上記通孔を通じて上記本体の外部に露出し、電気伝導性を有する一つ以上のタッチ端子、また上記本体の内部に収納され、その一端が上記一つ以上のタッチ端子に接続されて、電荷移動経路を形成する接続部を含んで構成されることもできる。
【００１６】
この際、上記タッチスタンプは、上記接続部の他端に接続されて、上記本体の外部に露出し、人の身体と接触すると人の身体とともに電荷移動経路を形成する接触部をさらに含んで構成されることもできる。
【００１７】
さらに、上記タッチスタンプは、一つのタッチ端子を含み、上記接続部が形成する電荷移動経路を事前に定められた時間パターンによって選択的に開放または短絡するスイッチング部をさらに含んで構成されることもできる。
【００１８】
また、上記タッチスタンプはそれぞれ互いに異なる位置に配列される２つ以上のタッチ端子を含み、上記接続部は上記２つ以上のタッチ端子それぞれに対して互いに異なる電荷移動経路を形成し、上記接続部が形成する２つ以上の電荷移動経路をそれぞれ互いに異なる時間パターンによって選択的に開放または短絡するスイッチング部をさらに含んで構成されることもできる。
【発明の効果】
【００１９】
このような本発明の実施例によるタッチスタンプによると次のような効果がある。
【００２０】
すなわち、携帯端末機のタッチスクリーンのマルチタッチ技術の活用性を拡大することで携帯端末機における多様な応用技術を実現できるようにする利点がある。
【００２１】
また、本発明の実施例によるタッチスタンプによると、携帯端末機のタッチスクリーンに対して精密なパターンのタッチ入力が可能であるという利点がある。
【００２２】
また、発明の実施例によるタッチスタンプによると持続的に同一のパターンのタッチ入力を繰り返し行うことができるという利点がある。
【００２３】
さらに、本発明の実施例によるタッチスタンプによると、複雑なパターンによるタッチ入力ができるようにすることによって、携帯端末機で多様な応用機能を活用できるようにするという利点がある。
【００２４】
また、発明の実施例によるタッチスタンプによると人の手で行いにくい精密なタッチパターンのタッチ入力を行うことで、これを携帯端末機で行われる各種認証手続に活用することができるという利点がある。
【図面の簡単な説明】
【００２５】
【図１】本発明の第１実施例によるタッチスタンプの構成を図示した斜視図である。
【図２】本発明の第１実施例によるタッチスタンプの機能による構成を図示した機能ブロック図である。
【図３】本発明の第１実施例によるタッチスタンプの機能による構成を図示した機能ブロック図である。
【図４】本発明の第２実施例によるタッチスタンプの構成を図示した斜視図である。
【図５】本発明の第２実施例によるタッチスタンプの構成を図示した斜視図である。
【図６】本発明の第２実施例によるタッチスタンプの機能による構成を図示した機能ブロック図である。
【図７】本発明の第２実施例によるタッチスタンプの機能による構成を図示した機能ブロック図である。
【図８】本発明の第１実施例及び第２実施例によるタッチスタンプのタッチ突起及びタッチ端子の形態及び動作方法を図示した例示図である。
【図９】本発明の第１実施例及び第２実施例によるタッチスタンプのタッチ突起及びタッチ端子の形態及び動作方法を図示した例示図である。
【図１０】本発明の第１実施例及び第２実施例によるタッチスタンプのタッチ突起及びタッチ端子の形態及び動作方法を図示した例示図である。
【図１１】本発明の実施例によるタッチスタンプを利用した認証システムの構成を図示したネットワーク構成図である。
【図１２】本発明の実施例によるタッチスタンプを利用した認証方法を段階的に図示した流れ図である。
【発明を実施するための形態】
【００２６】
本発明の利点及び特徴、またそれらを達成する方法は添付の図面と共に詳細に後述されている実施例を参照すると明確になるはずである。しかし、本発明は以下で開示される実施例に限定される訳ではなく、互いに異なる多様な形態で実現することができ、ただし本実施例は、本発明の開示が完全であるようにし、本発明の属する技術分野において通常の知識を有する者に発明の範疇を完全に理解させるために提供されるものであり、本発明は請求項の範疇によって定義されるにすぎない。
【００２７】
明細書全体にわたって同一の参照符号は同一の構成要素を称する。
【００２８】
以下では添付の図面を参照して本発明によるタッチスタンプについて詳細に説明することにする。
【００２９】
図１は、本発明の第１実施例によるタッチスタンプの構成を図示した斜視図で、図２及び図３は、本発明の第１実施例によるタッチスタンプの機能による構成を図示した機能ブロック図であり、図４及び図５は、本発明の第２実施例によるタッチスタンプの構成を図示した斜視図で、図６及び図７は、本発明の第２実施例によるタッチスタンプの機能による構成を図示した機能ブロック図である。また、図８〜図１０は、本発明の第１実施例及び第２実施例によるタッチスタンプのタッチ突起及びタッチ端子の形態及び動作方法を図示した例示図である。
【００３０】
図面を参照して説明するに先立って、本発明の実施例で、「タッチスタンプ」はタッチスクリーンが採用された携帯端末機のタッチスクリーン上に事前に定められた一定のパターンのタッチ入力を加えるように構成された装置を意味する。
【００３１】
このようなタッチスタンプがタッチスクリーンに加える事前に定められた一定のパターンを以下で「タッチパターン」と表現することにし、タッチパターンは上記タッチスタンプによって加えられるタッチ入力の時間パターン及び/またはタッチ入力の位置パターンを含む。
【００３２】
タッチスタンプは、タッチ入力は携帯端末機のタッチスクリーンのタッチ入力感知方式が圧力式の場合と接触式の場合、その構成が相違するが、圧力式タッチスクリーンが採用された携帯端末機用タッチスタンプを以下で第１実施例として説明し、接触式タッチスクリーンが採用された携帯端末機用タッチスタンプを以下で第２実施例として説明する。
【００３３】
まず、本発明の第１実施例によるタッチスタンプを図１及び図２ないし図３を参照して説明する。
【００３４】
図１に図示されたように本発明の第１実施例によるタッチスタンプ１００は、上記タッチスタンプ１００の全体的な形状を形成し、内部構成を含む本体１０を備える。
【００３５】
また、上記本体１０の一端面１１には駆動ボタン１２が備えられる。上記駆動ボタン１２は、上記一端面１１に対して垂直方向に一定区間を往復運動可能に設置することができるが、例えば、上記駆動ボタン１２が外力によって上記本体１０に向けて移動すると、上記タッチスタンプ１００が事前に定められたタッチパターンで携帯端末機のタッチスクリーンにタッチ入力が加えられるようにし、上記駆動ボタン１２に加えられる外力が除去されて上記本体１０の反対方向に上記駆動ボタン１２が復帰するとタッチスクリーンに対するタッチ入力が中断するようにする。すなわち、上記駆動ボタン１２は選択的に携帯端末機にタッチ入力が加えられるようにする手段として、使用者によって操作される部分である。もちろん上記駆動ボタン１２の位置は、図面に図示された位置に限定される訳ではなく、上記本体１０の一側であればどこにでもなることができる。
【００３６】
一方、上記一端面１１の他端には平面からなる他端面１３が形成される。上記他端面１３は、上記タッチスタンプ１００を利用して携帯端末機のタッチスクリーンにタッチ入力を加えるとき、使用者によってタッチスクリーンに密着する部分である。
【００３７】
上記他端面１３には一つ以上のタッチ突起１５が上記他端面１３に形成される通孔を通じて選択的に外部に露出するように設置される。上記タッチ突起１５は上記タッチスタンプ１００に対して事前に決定するタッチパターンがどんなパターンであるかによって一つだけ備えることもでき、より多く備えることもできる。
【００３８】
一方、上記のようなタッチスタンプ１００は、２つ以上の実施例に再び区分することができるが、電源が備えられる場合と備えられない場合を分けて説明する。図２及び３を参照して、上記のようなタッチスタンプ１００の構成を機能的な要素によって分けて検討してみると、まず駆動部１１０が構成される。上記駆動部１１０は外力を受けるかまたは上記タッチスタンプ１００内に構成される電源部１３０から駆動力を受けて後述するタッチ突起１５を動作させる手段として、例えば図２のように上記タッチスタンプ１００内に電源が構成されない場合、図１のタッチボタン１２のように外力を受けて移動する手段が上記駆動部１１０に該当することができる。また、図３のように上記タッチスタンプ１００内に電源部１３０が備えられる場合、上記駆動部１１０は電動モーターなど電気的エネルギーを力学的エネルギーに切り替える手段として備えることができる。このとき上記電源部１３０はバッテリーや外部電源の受信を受ける手段として構成することができる。
【００３９】
また、上記駆動部１１０の駆動によって上記タッチ突起１５に動力が伝達されるが、このために上記駆動部１１０と上記タッチ突起１５の間には動力伝達部１２０がさらに含まれる。上記動力伝達部１２０は、上記タッチスタンプ１００内に別途の駆動源がない場合、上記駆動部１１０で加えられた外力によって上記駆動部１１０が動けばそれによる力を上記タッチ突起１５に伝達する役割ができる。例えば図１に図示されたような実施例で上記動力伝達部１２０は上記タッチスタンプ１００の本体１０内で上記本体１０の長手方向に平行して伸びているロッド（ｒｏｄ）形状に備えられ、上記タッチボタン１２が上記本体１０に向けて移動すると、上記タッチボタン１２によって上記動力伝達部１２０の一端が上記タッチ突起１５方向に押されながら、上記タッチ突起１５を上記他端面１３に形成される通孔を通じて外部に露出するようにできる。このような場合、上記タッチボタン１２に加えられる外力が除去されると上記タッチボタン１２とロッド形状の上記動力伝達部１２０が元々の場所に復帰しながら上記タッチ突起１５も上記本体１０内部に再び収容することができる。
【００４０】
一方、図３に図示されたように上記電源部１３０が備えられて上記駆動部１１０が電源によって動作する電動モーターなどで構成される場合、上記動力伝達部１２０は回転運動を直線運動に切り替えて上記タッチ突起１５に伝達する役割ができる。例えば上記動力伝達部１２０はコネックティングロッド（ｃｏｎｎｅｃｔｉｎｇ  ｒｏｄ）や、レックギアとピニオンギアの組合せなど一般的に回転運動を水平運動に切り替える手段を含むことができる。
【００４１】
このとき、特に図３に図示されたように内部電源を利用して動作するタッチスタンプ１００の場合、一つまたは複数のタッチ突起１５をそれぞれ事前に定められたスケジュールによって外部に露出するようにして、時間経過による一定のタッチパターンを形成するようにできるが、例えば一つのタッチ突起１５が外部に露出する時間とまた内部に収容される時間を調節して時間パターン（モールス符号（ＭｏｒＳｅ  Ｃｏｄｅ）のように）を形成することができる。このために上記駆動部１１０を選択的に制御する制御部１５０が備えられるが、上記制御部１５０はインバーター（Ｉｎｖｅｒｔｅｒ）などで構成されて上記駆動部１１０の駆動速度と駆動方向、駆動の可否などを決定する。また、上記制御部１５０は図１に図示されたようなタッチスタンプ１００で上記タッチボタン１２を通じて信号が受信されたら事前に定められたタッチパターンによって上記タッチ突起１５を駆動させた後、タッチパターンによる駆動が完了すると停止させる役割を行うこともできる。
【００４２】
ここでまた上記タッチ突起１５がいくつかにより構成することができるが、このような場合、それぞれのタッチ突起１５を別途に制御するために上記駆動部１１０や動力伝達部１２０がそれぞれ別個に複数個備えられることもあり、または上記駆動部１１０の駆動方向によって駆動されるタッチ突起１５が互いに異なって対応するようにすることもできる。
【００４３】
一方、図４及び図５を参照して本発明の第２実施例によるタッチスタンプを説明すると、第２実施例によるタッチスタンプ２００は図面に図示されたように再び二つの実施例に区分することができる。
【００４４】
まず、上記タッチスタンプ２００内に電源が備えられない場合を説明すると、上記タッチスタンプ２００は本体２０を含む。上記本体２０は上記タッチスタンプ２００の全体的な形状を形成し、内部構成を覆う役割をする。
【００４５】
また、上記本体２０の一側には接触部２４が備えられる。上記接触部２４は伝導性物質で構成され、後述するタッチ端子２５と電荷の移動が可能な経路を形成する。すなわち、上記接触部２４に人体が選択的に触れると携帯端末機にタッチ入力が加えられるようにするスイッチング手段として、上記タッチ端子２５を伝導性があり、接地と接続される外部構成（人体）と選択的に接続する部分で、使用者によって操作される部分である。もちろん上記接触部２４の位置は図面に図示された位置に限定される訳でなく、上記本体２０の一側ならどこにでもなることができる。ここで伝導性物質は、金属や液体または固体電解質などを含むことによって電気伝導性を有する物質を意味する。
【００４６】
一方、上記一端面２１の他端には平面からなる他端面２３が形成される。上記他端面２３は上記タッチスタンプ２００を利用して携帯端末機のタッチスクリーンにタッチ入力を加えるとき、使用者によってタッチスクリーンに密着する部分である。
【００４７】
上記他端面２３には一つ以上のタッチ端子２５が上記他端面２３を貫いて外部に露出するように設置される。上記タッチ端子２５は上記他端面２３に平らにまたは外部に所定の高さで露出するように設置することができる。上記タッチ端子２５は上記タッチスタンプ２００に対して事前に決定されるタッチパターンがどんなパターンなのかによって一つだけ備えることもでき、より多く備えることもできる。このとき上記タッチ端子２５は伝導性物質からなる。
【００４８】
それによって静電容量方式のタッチパネルなど接触式タッチパネルに上記タッチ端子２５が密着し、上記接触部２４に人の手が触れたら、電荷の移動経路が形成されながら電荷の移動が発生して携帯端末機でタッチパネルに対する上記タッチ端子２５らのタッチパターンを感知することができるようになる。
【００４９】
このようなタッチスタンプ２００の機能的構成要素を検討してみると、図６に図示されたように接続部２１０が構成される。上記接続部２１０は上記タッチ端子２５を上記接触部２４と接続する構成として、やはり伝導性物質で構成される。
【００５０】
一方、図５に図示されたように本発明の第２実施例では上記タッチスタンプ２００内に電源を備えることができる。
【００５１】
また、上記本体２０の一端面２１には駆動ボタン２２が備えられる。上記駆動ボタン２２は上記一端面２１に対して垂直方向に一定区間を往復運動可能に設置することができるが、例えば、上記駆動ボタン２２が外力によって上記本体２０に向けて移動すると、上記タッチスタンプ２００が事前に定められたタッチパターンで携帯端末機のタッチスクリーンにタッチ入力が加えられるようにできる。すなわち、上記駆動ボタン２２は選択的に携帯端末機にタッチ入力が加えられるようにするスイッチング手段として、使用者によって操作される部分である。もちろん上記駆動ボタン２２の位置は図面に図示された位置に限定される訳ではなく、上記本体２０の一側ならどこにでもなることができる。
【００５２】
一方、上記一端面２１の他端には平面からなる他端面２３が形成される。上記他端面２３は、上記タッチスタンプ２００を利用して携帯端末機のタッチスクリーンにタッチ入力を加えるとき、使用者によってタッチスクリーンに密着する部分である。
【００５３】
上記他端面２３には一つ以上のタッチ端子２５が上記他端面２３を貫いて外部に露出するように設置される。上記タッチ端子２５は上記他端面２３に平らでまたは外部に所定高さに露出するように設置することができる。上記タッチ端子２５は上記タッチスタンプ２００に対して事前に決定されるタッチパターンがどんなパターンなのかによって一つだけ備えることができ、より多く備えることもできる。このとき上記タッチ端子２５は伝導性物質からなる。
【００５４】
さらに、上記タッチスタンプ２００の一側に上記タッチ端子２５を伝導性があり、接地と接続される外部構成（例えば、人体）と選択的に接続する部分として、接触部２４を備えることができることは上述した実施例のとおりである。
【００５５】
このようなタッチスタンプ２００の構成を機能的要素に分けて説明すると図７に図示されたように、上記接続部２１０にスイッチング素子が備えられる。また上記スイッチング素子は上記接続部２１０と上記接触部２４の間の接続をスイッチングする。
【００５６】
また、上記接続部２１０を制御する制御部２５０が構成される。上記制御部２５０は電源部２３０から電源の供給を受けて上記スイッチング素子を事前に設定されたところに従って開放または短絡する。それによって上記接触部２４と上記タッチ端子２５の間の接続経路を選択的に接続または遮断する。
【００５７】
一方、ここで上記駆動ボタン２２が駆動されると、上記制御部２５０で事前に定められたパターンによって上記スイッチング素子を制御せよという命令が伝えられる。
【００５８】
また、上記の実施例では上記接続部２１０に含まれるスイッチング素子を中心に図面左側部分で、上記接触部２４の代りに電気容量を有する素子（例えば、キャパシター）と接地（未図示）を接続することもできる。
【００５９】
上述したような本発明の実施例によるタッチスタンプ１００、２００によるタッチパターンを図８〜図１０を参照して説明すると、先に上記タッチ突起１５または上記タッチ端子２５は一つだけ構成され、上記タッチ突起１５または上記タッチ端子２５が事前に定められた複数の単位時間内にタッチまたは非タッチ動作することでパターンを成す。すなわち、図３に図示されたようなタッチスタンプ１００や図７に図示されたタッチスタンプ２００で上記タッチ突起１５と上記タッチ端子２５を事前に定められた時間パターンで動作させることで、これをタッチスクリーンが備えられた携帯端末機上に動作させる場合、上記携帯端末機がこのような時間パターンを認識するようにする。
【００６０】
一方、図９に図示されたように少なくとも２つ以上のタッチ突起１５やタッチ端子２５が備えられる場合、それぞれのタッチ突起１５やタッチ端子２５を別に動作させて時間が経過するに従って互いに異なる位置のタッチ突起１５やタッチ端子２５が携帯端末機のタッチスクリーンにタッチ入力を加えるようにすることもできる。
【００６１】
さらに、図１０に図示されたように本発明の実施例によるタッチスタンプ１００は複数のタッチ突起１５やタッチ端子２５を備えるが、このような複数のタッチ突起１５やタッチ端子２５は一定のパターンによって配列され、タッチスクリーンに同時にタッチ入力を加えるように構成することもできる。
【００６２】
このようなタッチスタンプ１００を利用すると携帯端末機タッチスクリーン上に定められたパターンによるタッチ入力を加えることで多様な認証を行うことができるが、例えば単に携帯端末機のロックを解除する機能を行うこともでき、オフライン上で発給されるクーポンやスタンプカードなどを携帯端末機によりオンラインで実現するにあたって、クーポンまたはスタンプカード発給主体を認証する方法として上記タッチスタンプ１００を使用することができる。
【００６３】
このようなタッチスタンプ１００を利用した認証方法に対する一つの実施例を図１１及び図１２を参照して説明する。図１１は本発明の実施例によるタッチスタンプを利用した認証システムの構成を図示したネットワーク構成図であり、また、図１２は本発明の実施例によるタッチスタンプを利用した認証方法を段階的に図示した流れ図である。
【００６４】
図１１に図示されたように、本発明の実施例による認証システムには複数の携帯端末機２０００と、これらとネットワークＮを通じて通信する認証サーバ１０００が含まれる。上記携帯端末機２０００はタッチスクリーンを具備した移動通信端末機になり得る。
【００６５】
また、上記認証サーバ１０００はそれぞれのタッチスタンプ１００、２００のタッチパターン情報と、それぞれのタッチスタンプ１００、２００に対応する提携会社の加盟店情報を保存するデータベース１１００を備える。ここでタッチパターン情報は提携会社または加盟店ごとに互い異なって定められた固有のパターン情報を含むことができる。
【００６６】
それによって上記認証サーバ１０００は、上記携帯端末機２０００で上記タッチスタンプ１００、２００による一定のタッチパターンが認識されると、このように認識されたタッチパターン情報を上記携帯端末機２０００から受信する。また、受信されたタッチパターン情報を上記データベース１１００に保存された複数のタッチパターン情報と比較して、一致するタッチパターン情報を検索する。また、一致するタッチパターン情報があれば、それに対応する提携会社の加盟店情報を確認して上記携帯端末機２０００に対するタッチパターン入力が当該加盟店でおこなわれたものであることを認証して上記携帯端末機２０００に当該加盟店情報及び認証成功信号を送る。
【００６７】
それによって上記携帯端末機２０００では上記認証サーバ１０００から受信された加盟店情報及び認証成功信号に対応して事前に設定された動作を行う。
【００６８】
このような認証システムによる認証過程の一実施例として、オンラインスタンプカードサービスを提供する方法を、図１２を参照して説明すると、まず上記携帯端末機２０００でスタンプカードアプリが実行される段階（Ｓ１００）が行われる。
【００６９】
上記スタンプカードアプリは上記認証サーバ１０００と連動する端末機用アプリケーションであって、例えば事前に設定された加盟店に対して事前に設定されたタッチパターンを事前に設定された回数だけ入力を受けると商品やサービスと交換可能なクーポンを支給する方式のアプリケーションになることができる。
【００７０】
また、上記スタンプカードアプリが実行されると、上記携帯端末機２０００に上記認証サーバ１０００の運営主体と事前に契約された複数の加盟店のリストの提供される段階が行われる。例えば、コーヒー専門店や食堂などのリストを提供することができる。それによって上記携帯端末機２０００は上記リストにおいて一つの加盟店を使用者から選択を受ける（Ｓ１１０）。
【００７１】
また、上記携帯端末機２０００は選択された加盟店に対応するスタンプカード画面を表示する。例えば、コーヒー専門店「コーヒービーン」に対するスタンプカードをタッチスクリーンに表示することができ、既に受け取ったスタンプの数とクーポンを受け取るためにこれから受け取るべきスタンプの数を一緒にタッチスクリーンに表示することができる。
【００７２】
また、上記タッチスタンプ１００、２００を利用したタッチ入力を受けるために上記携帯端末機２０００のタッチスクリーンにスタンプ領域が表示される段階（Ｓ１２０）が行われる。このとき上記スタンプ領域はスタンプカードの区分された複数の領域の中でスタンプを受けない領域になることもでき、別個の領域になることもできる。
【００７３】
それによって上記タッチスクリーンに表示されたスタンプ領域には上記タッチスタンプ１００、２００からのタッチ入力を加えることができる。また、上記携帯端末機２０００が上記スタンプ領域内にタッチ入力を感知（Ｓ１３０）すると、感知されたタッチ入力のタッチパターンを上記Ｓ１１０段階で選択を受けた加盟店に対応して事前に保存されたタッチパターンと比較して事前に保存されたタッチパターンと同一のパターンであるかどうかを判断する（Ｓ１４０）。ここで、上記携帯端末機２０００にはそれぞれの加盟店に対応するタッチパターンが事前に保存され、入力されたタッチパターンをこれと比較できるようにすることもでき、または上記携帯端末機２０００が入力されたタッチパターンの情報を上記認証サーバ１０００に送り、それによって上記認証サーバ１０００が送信されたタッチパターンの情報を上記データベース１１００に保存されたタッチパターンと比べて認証を行うこともできる。
【００７４】
また、同一のパターンに該当するのであれば、上記スタンプカードに一つのスタンプをさらに追加してタッチスクリーンに表示する（Ｓ１５０）。それによって追加されたスタンプの数が事前に設定された数に到達したかどうかを判断し（Ｓ１６０）、事前に定められた数だけ累積したものと確認された上記認証サーバ１０００がこれを確認して上記携帯端末機２０００で電子クーポンを発給する段階（Ｓ１７０）が行われる。
【００７５】
すなわち、加盟店ではそれぞれ固有のタッチパターンを有するタッチスタンプ１００、２００を備え、使用者らは自分の携帯端末機２０００のタッチスクリーンを通じて上記タッチスタンプ１００、２００からタッチ入力を受けて、事前に保存された各加盟店に対するタッチパターンに対応するかどうかによって実際に加盟店からタッチ入力を受けたかどうかを認証するようになる。
【００７６】
これによって、手で入力を受けにくいタッチパターンを有するタッチ入力を上記タッチスタンプ１００、２００から受信するようにすることによって、一般的な印鑑を利用した認証方法のような認証方法をオンライン上で実現することができる。
【００７７】
当業者は、ここで開示された実施形態と関連して説明された多様な例示的なロジッグブロックら及びアルゴリズム段階を電子ハードウェア、コンピュータソフトウェア、またはこれらの組合せで実現することもできることが分かる。ハードウェアとソフトウェアのこのような代替可能性を明確に説明するために、多様な例示的な段階を主にそれらの機能の観点で上述した。そのような機能がハードウェアで実現されるかソフトウェアで実現されるかは全体システムに賦課された特定アプリケーション及び設計制約条件に依存する。
【００７８】
当業者は、説明された機能をそれぞれの特定アプリケーションに対して多様な方式で実現することもできるが、そのような実現の決定が本発明の範疇を脱するようにすることによって解釈しなければならない。
【００７９】
上記実施例は、本願発明を具体的に説明するための例示にすぎず、本発明はこれらの実施例に限定されない。本発明の趣旨を逸脱しない範囲で構成の付加、省略、置換、及びその他の変更が可能である。本発明は前述した説明により限定されず、添付した請求の範囲の範囲によってのみ限定される。
【図１】
2015507270.tif 000003
【図２】
2015507270.tif 000004
【図３】
2015507270.tif 000005
【図４】
2015507270.tif 000006
【図５】
2015507270.tif 000007
【図６】
2015507270.tif 000008
【図７】
2015507270.tif 000009
【図８】
2015507270.tif 000010
【図９】
2015507270.tif 000011
【図１０】
2015507270.tif 000012
【図１１】
2015507270.tif 000013
【図１２】
2015507270.tif 000014
【国際調査報告】
2015507270.tif 000015
2015507270.tif 000016
2015507270.tif 000017
2015507270.tif 000018